(57)【要約】【課題】保守サービスを受けるためのサービスＩＤコードが確実に登録されるとともに、正当なサービスセンターからのサービスＩＤコードのみを設定・登録することができる通信装置を提供する。【解決手段】ファクシミリ装置がジョブを実行せず、キー操作もない場合に、表示部に待機中の表示を行う（４０３）とともに、設置業者情報が登録されているか否かを判定し（４０４）、設置業者情報が登録されていない場合には、稼働日数Ｃが警告稼働日数Ｆを超えているか否かを判定する（４０５）。警告稼働日数Ｆを超えている場合には、表示部に「設置業者を登録してください。」の表示を行う（４０６）とともに、ファクシミリ機能の操作許可フラグＧをセットする。このフラグＧがセットされていると、キー操作を行った場合、ファクシミリに関するキー操作が無効とされ（４１０）、処理が行われないので、ユーザーはサービスＩＤコードの登録の必要性を認識することができる。【選択図】　　　　図６
2004120458.tif 000002
【特許請求の範囲】
【請求項１】
サービス用ＩＤコードを記憶する記憶手段と、サービスセンターから送信されたサービス用ＩＤコードと上記記憶手段に記憶されたサービスＩＤコードとを比較する手段と、上記両サービスＩＤコードが一致した場合に、装置の内部情報をサービスセンターに通知する手段と、上記記憶手段へのサービスＩＤコードの登録が所定期間なされないとき、操作画面表示部にサービスＩＤコード登録を促すメッセージを表示する手段とを備えたことを特徴とする通信装置。
【請求項２】
サービス用ＩＤコードを記憶する記憶手段と、サービスセンターから送信されたサービス用ＩＤコードと上記記憶手段に記憶されたサービスＩＤコードとを比較する手段と、上記両サービスＩＤコードが一致した場合に、装置の内部情報をサービスセンターに通知する手段と、上記記憶手段へのサービスＩＤコードの登録が所定期間なされないとき、少なくとも一部の機能を停止させる手段とを備えたことを特徴とする通信装置。
【請求項３】
警告稼動日数記憶手段を備え、上記警告稼動日数記憶手段に記憶された稼動日数が経過したとき、サービスＩＤコード登録を促すメッセージの表示あるいは機能の一部停止を行うことを特徴とする請求項１または請求項２に記載の通信装置。
【請求項４】
サービスセンターとテスト交信を行う際に、サービスセンターから送信された業者ＩＤコードが装置に登録されている業者ＩＤコードと一致した場合に、サービスセンターから情報を受けて上記記憶手段にサービスＩＤコードを登録することを特徴とする請求項１または請求項２に記載の通信装置。
【発明の詳細な説明】
【０００１】
【発明の属する技術分野】
本発明はデジタル複合装置、ファクシミリ装置等の通信装置、特に、サービスセンターと通信可能に接続して装置の内部情報をサービスセンターに送信する機能を備えた通信装置に関する。
【０００２】
【従来の技術】
近年、ファクシミリ装置や複写機能、ファクシミリ機能、プリント機能等を有するデジタル複合機などの通信装置では、通信装置のメモリにメンテナンス用の情報として通信履歴情報や装置の各種設定情報等を記憶し、保守サービスセンターからの要求により記憶されている情報を保守サービスセンターに送信することが行われている。
【０００３】
このように、ユーザーが使用している通信装置の内部情報を引き出すことが可能になると、ユーザーのプライバシーや情報の保護に対する対応が要求されるので、従来、サービスセンターと共通のサービスＩＤコードを通信装置に登録し、サービスセンターから送信されたサービスＩＤコードと通信装置に登録されているサービスＩＤコードが一致した場合にのみ、通信装置からサービスセンターにメンテナンス情報を送信している。このように、通信装置では、サービスＩＤコードによってユーザーの承認のもとにリモートサービスを実行することにより、他者のリモート機能の使用による情報の漏洩を防止している（例えば、特許文献１参照。）。
【０００４】
【特許文献１】
特開平９−１４９１８７号公報
【０００５】
【発明が解決しようとする課題】
サービスセンターと通信を行う通信装置では上記のように、サービスＩＤコードが通信装置に登録されるが、通信装置の設置後、長期間通信装置にサービスＩＤコードが登録されないと、サービスセンターによる保守サービスを受けることができないという問題が有った。
また、このサービスＩＤコードを通信装置に登録する場合、従来は、通信装置の設置後、最初に保守サービスのために接続を試みてきたサービスセンターから送信されてくるＩＤコードを情報送信のための許可ＩＤコードとして通信装置に登録していた。このため、正当な設置業者以外の別のサービスセンターから最初に接続が試みられた場合には、そのサービスセンターに通信装置の内部情報を送信してしまう可能性があった。
【０００６】
本発明は、上記の問題に鑑みてなされたもので、保守サービスを受けるためのサービスＩＤコードが確実に登録されるとともに、正当なサービスセンターからのサービスＩＤコードのみを設定・登録することができる通信装置を提供することを目的とする。
【発明が解決しようとする課題】
【０００７】
【課題を解決するための手段】
請求項１に係る発明の通信装置は、サービス用ＩＤコードを記憶する記憶手段と、サービスセンターから送信されたサービス用ＩＤコードと上記記憶手段に記憶されたサービスＩＤコードとを比較する手段と、上記両サービスＩＤコードが一致した場合に、装置の内部情報をサービスセンターに通知する手段と、上記記憶手段へのサービスＩＤコードの登録が所定期間なされないとき、操作画面表示部にサービスＩＤコード登録を促すメッセージを表示する手段とを備えたことを特徴とする。
【０００８】
請求項１に係る発明の通信装置によれば、装置の設置後サービスＩＤコードが所定期間登録されないと、通信装置の操作画面表示部にサービスＩＤコード登録を促すメッセージが表示されるので、ユーザーにサービスＩＤコードの登録を促すことができ、サービスＩＤコード登録が促進される。
【０００９】
また、請求項２に係る発明の通信装置は、サービス用ＩＤコードを記憶する記憶手段と、サービスセンターから送信されたサービス用ＩＤコードと上記記憶手段に記憶されたサービスＩＤコードとを比較する手段と、上記両サービスＩＤコードが一致した場合に、装置の内部情報をサービスセンターに通知する手段と、上記記憶手段へのサービスＩＤコードの登録が所定期間なされないとき、少なくとも一部の機能を停止させる手段とを備えたことを特徴とする。
【００１０】
請求項２に係る発明の通信装置によれば、装置の設置後サービスＩＤコードが所定期間登録されないと、通信装置の少なくとも一部の機能が停止するので、ユーザーがサービスＩＤコードが登録されていないことを認識することができ、ユーザーにサービスＩＤコードの登録を促すことができる。
【００１１】
また、請求項３に係る発明の通信装置は、請求項１または請求項２の通信装置において、警告稼動日数記憶手段を備え、上記警告稼動日数記憶手段に記憶された稼動日数が経過したとき、サービスＩＤコード登録を促すメッセージの表示あるいは機能の一部停止を行うことを特徴とする。
請求項３に係る発明の通信装置によれば、サービスＩＤコードが未登録であることをユーザーに知らせる期間を警告稼働日数記憶手段に設定できるので、サービスＩＤコードを登録すべき期間を任意に設定することができる。
【００１２】
さらに、請求項４に係る発明の通信装置は、請求項１または請求項２の通信装置において、サービスセンターとテスト交信を行う際に、業者ＩＤコードが装置に登録されている業者ＩＤコードと一致した場合に、サービスセンターから情報を受けて上記記憶手段にサービスＩＤコードを登録することを特徴とする。
【００１３】
請求項４に係る発明によれば、サービスＩＤコードの登録時に、交信を行ったサービスセンターの業者ＩＤコードにより正当なサービスセンターか否かを判別することができるので、正当なサービスセンターからのみサービスＩＤコードを受け取ることができ、不正な相手に通信装置の内部情報が送信されることを防止することができる。
【００１４】
【発明の実施の形態】
以下、本発明の通信装置を一例としてファクシミリ装置に適用した場合の実施の形態について、図面を用いて説明する。図１はファクシミリ装置の概略ブロック構成図であり、図２はファクシミリ装置１のメモリの詳細を説明する図である。
【００１５】
ファクシミリ装置１は主制御部２、ＲＡＭ（Ｒａｎｄｏｍ　Ａｃｃｅｓｓ　Ｍｅｍｏｒｙ）３、ＲＯＭ（Ｒｅａｄ　Ｏｎｌｙ　Ｍｅｍｏｒｙ）４、表示部５、操作部６、モデム７、ネットワーク制御ユニットＮＣＵ８、読取部９、画像メモリ１０、記録部１１、時計１２から構成されるとともに、各部がバス１３を介して接続されている。
主制御部２はＣＰＵから構成されており、バス１３を介してファクシミリ装置１のハードウェア各部を制御するとともに、ＲＯＭ４に記憶されたプログラムに基づいて各種のプログラムを実行する。
【００１６】
ＲＡＭ３はＳＲＡＭ等で構成され、プログラムの実行時に発生する一時的なデータを記憶するとともに、図２に詳細を示すように、設置日「Ａ」、設置業者ＩＤコード「Ｂ」、稼働日数「Ｃ」、設置業者登録フラグ「Ｄ」、機能ロックフラグ「Ｅ」、警告を行うまでの稼働日数「Ｆ」、操作許可フラグ「Ｇ」、サービスＩＤコード「Ｈ」、サービスセンターの電話番号「Ｉ」、サービスセンターに通知する通信装置の内部情報「Ｊ」、サービスセンターに情報を送信するタイミング「Ｋ」を記憶する格納部（メモリエリア）３１〜４１を有している。なお、このＲＡＭ３にフラッシュメモリを使用する構成も可能であり、この場合には、停電、ファクシミリ装置１の電源が遮断された場合にも記憶内容が失われることはない。
【００１７】
ＲＯＭ４はファクシミリ装置１の動作に必要な種々のプログラムを記憶するとともに、設置業者ＩＤコード、サービスＩＤコードが登録されない場合に、警告表示のみを行うか、警告表示と一部機能の操作ロックとを同時に行うかの設定、警告を行うまでの稼動日数の初期値（例えば、二週間）、サービスセンターに通知する情報の初期設定内容（例えば、コピー枚数）、サービスセンターに通信装置の内部情報を通知するタイミングの初期値（例えば、偶数月の１日の午前１時）が記憶されている。なお、サービスＩＤコードが登録されない場合に、警告表示のみを行うか、警告表示と一部機能の操作ロックとを同時に行うかは設置業者または販売代理店が選択して予めＲＯＭ４に記憶させているが、この設定は他の項目の初期設定値とともに後述するようにユーザーが適宜変更することが可能である。
【００１８】
表示部５は、液晶表示装置（ＬＣＤ）又はＣＲＴディスプレイ等の表示装置であり、ファクシミリ装置１の動作状態を表示したり、種々の機能の操作画面の表示を行う。操作部６はファクシミリ装置１を操作するために必要な文字キー、テンキー、短縮ダイアルキー、ヘルプキー等の各種のファンクションキーを備えている。なお、表示部５をタッチパネル方式とすることによりこの操作部６の各種キーの一部又は全部を代用することができる。
【００１９】
モデム７は、バス１３に接続されており、ファクシミリ通信が可能なファックスモデムとしての機能を有し、このモデム７は同様にバス１３に接続されたＮＣＵ８と接続されている。ＮＣＵ８はアナログ回線の閉結及び開放の動作を行うハードウェアであり、必要に応じてモデム９を電話回線１４に接続する。
【００２０】
読取部９は、ＣＣＤ等を利用したスキャナで原稿を読み取り、白黒２値に変換したドットイメージデータを出力する。画像メモリ１０は、ＤＲＡＭ等を用いて構成され、送信すべきイメージデータまたは受信したイメージデータを記憶する。
記録部１１は電子写真方式等のプリンタ装置を備え、受信したデータをハードコピーとしてプリントアウトとし、時計１２は時刻を計時している。
【００２１】
ファクシミリ装置１は上記のような構成を備えており、ファクシミリ送信時には、原稿の画像データが読取部９で読み取られて画像メモリ１０に蓄積された後、モデム７で変調され、ＮＣＵ８から電話回線１４を通して通信相手先に送信される。また、ファクシミリ受信時には、受信した画像データがモデム７で復調されて画像メモリ１０に蓄積された後、記録部１１により印刷される。
【００２２】
このようなファクシミリ装置に設置業者等の情報を記憶する過程やサービスセンターからサービスＩＤコードを取得する場合の動作について図３〜図７のフローチャートを用いて説明する。
【００２３】
まず、通信装置を設置した場合に、操作部６または表示部５のタッチパネルから初期設定を指示すると、図３のフローチャートに示すように、主制御部２は表示部５に時刻設定画面を表示する（ステップ１０１）。次に、主制御部２は日付、時刻がセットされたか否か判定し（ステップ１０２）、ユーザーが日付、時刻を入力すると、主制御部２はその日付、時刻を時計１２にセットした後、表示部５に発信元名入力画面を表示する（ステップ１０３）。次に、主制御部２は発信元名が入力されたか否かを判定し（ステップ１０４）、ユーザーが自社の会社名等を入力すると、主制御部２は会社名をＲＡＭ３に記憶した後、表示部５に電話番号入力画面を表示する（ステップ１０５）。そして、主制御部２はユーザーがファクシミリ装置の電話番号を入力したか否かを判定し（ステップ１０６）、ユーザーがファクシミリ装置の電話番号を入力すると、主制御部２は電話番号をＲＡＭ３に記憶した後、時計１２から日付を読み取って、その日付を設置日としてＲＡＭ３の設置日「Ａ」格納部３１に記憶する（ステップ１０７）。
【００２４】
次に、主制御部２はＲＯＭ４から設置業者ＩＤコードを読み出し、この設置業者ＩＤコードをＲＡＭ３の設置業者ＩＤコード「Ｂ」格納部３２に記憶する（ステップ１０８）。次に、主制御部２はＲＡＭ３の格納部３３に記憶されている、稼働日数「Ｃ」を０にクリアし（ステップ１０９）、格納部３４に記憶されている設置業者登録フラグ「Ｄ」をクリアする（ステップ１１０）。そして、主制御部２は、次に、ＲＯＭ４から設置業者または代理店が設定した、サービスＩＤコードが登録されない場合に、警告表示のみを行うか、警告表示と一部機能の操作ロックとを同時に行うかの設定を読み込み、ＲＯＭ４にファクシミリ機能の操作キーのロックが設定されている場合には、機能ロックフラグ「Ｅ」格納部３５のフラグをセットする（ステップ１１１）。次に、主制御部２はＲＯＭ４から警告を行うまでの稼動日数の初期値、二週間、を読み込み、ＲＡＭ３の警告稼働日数「Ｆ」格納部３６に記憶する（ステップ１１２）。
【００２５】
次に、主制御部２はＲＡＭ３の格納部３７に記憶されている操作許可フラグ「Ｇ」をクリア（ステップ１１３）した後、ＲＯＭ４からサービスセンターに通知する情報の初期設定内容、コピー枚数、を読み込み、ＲＡＭ３の通知内部情報「Ｊ」格納部３９に記憶する（ステップ１１４）。次に、主制御部２はＲＯＭ４からサービスセンターに通信装置の内部情報を通知するタイミングの初期値、偶数月の１日の午前１時、を読み込み、ＲＡＭ３の通知タイミング「Ｋ」格納部４１に記憶し（ステップ１１５）、プログラムを終了する。
【００２６】
なお、上記の初期設定で設定されたサービスＩＤコードが登録されない場合に、警告表示のみを行うか、警告表示と一部機能の操作ロックとを同時に行うかの設定、警告を行うまでの稼動日数、サービスセンターに通知する情報、サービスセンターに通信装置の内部情報を通知するタイミング等はユーザーが操作部６を操作して適宜変更することができる。サービスセンターに通知する内部情報としては、ＲＯＭのバージョン、送・受信回数、通紙回数、通信先電話番号と結果、マシンの設定状況、ＲＡＭに登録されている各種データ及び過去に発生したエラー履歴等から選択することができる。
【００２７】
一方、ファクシミリ装置の初期設定が完了すると、ファクシミリ装置１は稼働日数のカウントを開始する。すなわち、図４のフローチャートに示すように、主制御部２は常に時計１２の時刻から午前０時を過ぎたか否かを判定している（ステップ２０１）。そして、午前０時を過ぎると、ＲＡＭ３の格納部３３に記憶されている稼働日数「Ｃ」を１日増加させ（ステップ２０２）た後、ステップ２０１に戻る。
【００２８】
次に、サービスセンターの情報を収集してファクシミリ装置１に設定する場合の動作を図５のフローチャートを用いて説明する。
ユーザーが操作部６または表示部５のタッチパネルからサービスセンターの登録を指示すると、主制御部２はモデム７、ＮＣＵ８により電話回線１４を介して設置業者のサービスセンターのホストコンピュータ（またはファクシミリ装置）とのテスト交信を開始する（ステップ３０１）。ファクシミリ装置１とサービスセンターのホストコンピュータとが接続されると、サービスセンターのホストコンピュータから設置業者情報が送信されてくるので、主制御部２は交信先から送信されてきた設置業者ＩＤコードとＲＡＭ３の格納部３２に記憶されている設置業者ＩＤコード「Ｂ」が一致しているか否かを判定する（ステップ３０２）。交信先から送信されてきた設置業者ＩＤコードと設置業者ＩＤコード「Ｂ」が一致しない場合には、電話回線を切断する（ステップ３０６）。
【００２９】
一方、交信先から送信されてきた設置業者ＩＤコードと設置業者ＩＤコード「Ｂ」が一致した場合には、主制御部２はサービスセンターとの交信を継続して、サービスセンターからサービスＩＤコード「Ｈ」を受信し、ＲＡＭ３のサービスＩＤコード「Ｈ」格納部３８に記憶する（ステップ３０３）。次に、交信しているサービスセンターの情報を送出すべき電話番号「Ｉ」をサービスセンターから受け取り、ＲＡＭ３の情報送出先電話番号「Ｉ」格納部３９に記憶する（ステップ３０４）。これが終了すると、主制御部２はＲＡＭ３の格納部３４の設置業者登録フラグ「Ｄ」をセット（ステップ３０５）した後、電話回線を切断する（ステップ３０６）。
【００３０】
このように、サービスＩＤコードをファクシミリ装置に登録する際に、接続したサービスセンターから送付されてくる業者ＩＤコードをファクシミリ装置に記憶されている業者ＩＤコードと比較して、一致した場合にのみサービスＩＤコードを登録するので、正当なサービスセンターから送信されるサービスＩＤコードのみをファクシミリ装置１に登録することができる。
【００３１】
一方、ファクシミリ装置１は動作中常に設置業者情報の登録有無のチェック処理を行っており、このチェック処理の動作について図６のフローチャートにより説明する。
主制御部２は、常時、他のジョブを実行中か否かを判定し（ステップ４０１）、他のジョブを実行していない場合には、キー操作があるか否かを判定する（ステップ４０２）。キー操作もない場合には、ファクシミリ装置が何の動作も行っていないので、表示部５に待機中の表示を行った（ステップ４０３）後、ＲＡＭ３の格納部３４の設置業者登録フラグ「Ｄ」より設置業者情報が登録されているか否かを判定する（ステップ４０４）。設置業者情報が登録済みの場合には、ステップ４０１に戻り、設置業者情報が登録されていない場合には、主制御部２はＲＡＭ３の格納部３３に記憶されている稼働日数「Ｃ」とＲＡＭ４の格納部３６に記憶されている警告稼働日数「Ｆ」とを比較する（ステップ４０５）。稼働日数「Ｃ」が警告稼働日数「Ｆ」を超えていない場合には、ステップ４０１に戻り、稼働日数「Ｃ」が警告稼働日数「Ｆ（二週間）」を超えている場合には、主制御部２は表示部５に「設置業者を登録してください。」の表示を行う（ステップ４０６）。
【００３２】
次に、主制御部２はＲＡＭ３の格納部３５の機能ロック「Ｅ」のフラグがセットされているか否かを判定する（ステップ４０７）。そして、ＲＡＭ４の格納部３５の操作ロック「Ｅ」のフラグがセットされていない場合には、ステップ４０１に戻り、ＲＡＭ４の格納部３５の機能ロック「Ｅ」のフラグがセットされている場合には、主制御部２はＲＡＭ３の格納部３７の操作許可フラグ「Ｇ」をセット（ステップ４０８）した後、ステップ４０１に戻る。
【００３３】
一方、ステップ４０２において、キー操作有りと判定された場合には、主制御部２はＲＡＭ３の格納部３７の操作許可フラグ「Ｇ」がセットされているか否かを判定する（ステップ４０９）。操作許可フラグ「Ｇ」がセットされている場合には、主制御部２はファックスに関するキー操作を無効化（ステップ４１０）した後、ファックスに関するキー操作以外の指定された処理を実行する（ステップ４１１）。操作許可フラグ「Ｇ」がセットされていない場合には、主制御部２は操作されたキーにより指定された処理を実行（ステップ４１１）した後、ステップ４０１に戻る。
【００３４】
以上のように、ファクシミリ装置の稼働日数が設定されている警告すべき稼動日数を超えても設置業者の情報が登録されない場合には、ファクシミリ装置の待機時点で表示部に設置業者の登録要求が表示されるとともに、機能ロックが設定されている場合には、ファックス機能の処理が禁止されるので、ユーザーは設置業者登録が必要なことを容易に認識することができる。
【００３５】
次に、ファクシミリ装置１からサービスセンターにファクシミリ装置の内部情報を送信する場合の動作について、図７のフローチャートにより説明する。
主制御部２は常に時計１２の時刻とＲＡＭ４の格納部４１に記憶されている通知タイミング「Ｋ（偶数月の１日の午前１時）」とを比較して、ファクシミリ装置１の内部情報をサービスセンターに送付すべきか否かを判定している（ステップ５０１）。そして、上記の例の場合、偶数月の１日の午前１時になると、主制御部２はモデム７、ＮＣＵ８によりＲＭＡ３の格納部３９に記憶されている情報送出先電話番号「Ｉ」を読み出してダイヤルし、サービスセンターに接続する（ステップ５０２）。
【００３６】
サービスセンターと接続が確立されると、主制御部２はサービスセンターから送信されてくるサービスＩＤコードがＲＡＭ３の格納部３８に記憶されているサービスＩＤコード「Ｈ」と一致しているか否かを判定する（ステップ５０３）。両者のＩＤコードが一致していない場合には、主制御部２は正当なサービスセンターではないと判断して、電話回線を切断する（ステップ５０５）。両者のＩＤコードが一致した場合には、主制御部２はＲＡＭ３の格納部４０に記憶されている通知すべき内部情報「Ｊ」に該当する情報をＲＡＭ３から読み出してサービスセンターに送信（ステップ５０４）した後、電話回線を切断する（ステップ５０５）。
【００３７】
このように、サービスＩＤコードを照合した結果、サービスＩＤコードが一致した場合にのみ、ファクシミリ装置の内部情報をサービスセンターに通知するので、不正な相手に内部情報が送信されてしまうことを防止することができる。
【００３８】
上記の実施の形態では、業者登録が行われない場合に、登録を促すメッセージを常に表示し、操作の機能ロックを適宜設定できるようにしたが、登録を促すメッセージの表示と操作の機能ロックをそれぞれ別々に機能させるか否かを選択できるようにすることも可能である。
また、上記の実施の形態では、通信装置としてファクシミリ装置を例とした場合について説明したが、デジタル複合機の場合にも本発明を適用することができる。
【００３９】
【発明の効果】
以上詳述したように、本発明の通信装置は、装置の設置後、所定期間内に業者登録を行って、サービスＩＤコードを登録しないと、通信装置の操作画面表示部にサービスＩＤコード登録を促すメッセージが表示されたり、通信装置の少なくとも一部の機能が停止するので、ユーザーがサービスＩＤコードが登録されていないことを認識することができ、サービスＩＤコードの登録をユーザーに促すことができる。
また、警告稼働日数記憶手段を設けているので、サービスＩＤコードを登録すべき期間を任意に設定することができ、さらに、サービスＩＤコードの登録時に、交信を行ったサービスセンターの業者ＩＤコードにより正当なサービスセンターか否かを判別してサービスＩＤコードを登録するので、通信装置の内部情報が不正な相手に送信されることを防止することができる。
【図面の簡単な説明】
【図１】本発明の実施の形態に係るファクシミリ装置の概略ブロック図である。
【図２】図１のファクシミリ装置のメモリの詳細を示す図である。
【図３】ファクシミリ装置の初期設定の動作を示すフローチャートである。
【図４】ファクシミリ装置の稼動日数カウントの動作を示すフローチャートである。
【図５】ファクシミリ装置の業者登録の動作を示すフローチャートである。
【図６】ファクシミリ装置の業者登録の有無判定の動作を示すフローチャートである。
【図７】ファクシミリ装置からサービスセンターへの内部情報送信の動作を示すフローチャートである。
【符号の説明】
１　ファクシミリ装置
２　主制御部
３　ＲＡＭ
４　ＲＯＭ
５　表示部
６　操作部
７　モデム
８　ＮＣＵ
９　読取部
１０　画像メモリ
１１　記録部
１２　時計
１３　バス
１４　電話回線
３１　設置日「Ａ」格納部
３２　設置業者コード「Ｂ」格納部
３３　稼働日数「Ｃ」格納部
３４　設置業者登録フラグ「Ｄ」格納部
３５　機能ロックフラグ「Ｅ」格納部
３６　警告稼働日数「Ｆ」格納部
３７　操作許可フラグ「Ｇ」格納部
３８　サービスＩＤコード「Ｈ」格納部
３９　電話番号「Ｉ」格納部
４０　通知内部情報「Ｊ」格納部
４１　通知タイミング「Ｋ」格納部
【図１】
2004120458.tif 000003
【図２】
2004120458.tif 000004
【図３】
2004120458.tif 000005
【図４】
2004120458.tif 000006
【図５】
2004120458.tif 000007
【図６】
2004120458.tif 000008
【図７】
2004120458.tif 000009
【手続補正書】
【提出日】平成14年10月16日(2002.10.16)
【手続補正１】
【補正対象書類名】明細書
【補正対象項目名】０００６
【補正方法】変更
【補正の内容】
【０００６】本発明は、上記の問題に鑑みてなされたもので、保守サービスを受けるためのサービスＩＤコードが確実に登録されるとともに、正当なサービスセンターからのサービスＩＤコードのみを設定・登録することができる通信装置を提供することを目的とする。